(57)【要約】【課題】本発明は、外部機器との取り付けの不具合を防止して容易に組立てが可能である、小型、薄型の面状光源装置および面状光源装置を用いた表示装置を提供することを目的とする。【解決手段】本発明による面状光源装置は、ネジ受け部６ａを有する樹脂フレーム４と、樹脂フレーム４をネジ受け部６ａによってネジ止めする金属枠５とを備える面状光源装置１００であって、樹脂フレーム４または金属枠５のいずれか一方に少なくとも一つの突起を設け、他方に突起を挿入して固定するための少なくとも一つの孔を設けていることを特徴とする。【選択図】図２
2008262840.tif 000002
【特許請求の範囲】
【請求項１】
ネジ受け部を有するフレームと、
前記フレームを前記ネジ受け部によってネジ止めする枠体と、
を備える面状光源装置であって、前記フレームまたは前記枠体のいずれか一方に少なくとも一つの突起を設け、他方に前記突起を挿入して固定するための少なくとも一つの孔を設けていることを特徴とする、面状光源装置。
【請求項２】
前記突起および前記孔は、前記フレームの前記ネジ受け部が設けられている面に対して直交する面に配設されていることを特徴とする、請求項１に記載の面状光源装置。
【請求項３】
前記突起および前記孔は、前記ネジ受け部の近傍に配設されていることを特徴とする、請求項２に記載の面状光源装置。
【請求項４】
請求項１ないし請求項３のいずれかに記載の面状光源装置と、
前記面状光源装置上に搭載された表示パネルと、
を備える、表示装置。
【発明の詳細な説明】
【技術分野】
【０００１】
本発明は、面状光源装置および面状光源装置を用いた表示装置に関する。
【背景技術】
【０００２】
液晶表示装置などの薄型の表示装置は、液晶パネルの背面に面状光源装置を配置しており、表示装置本体の前面側から枠状の金属製の筐体を装着している。液晶表示装置を外部製品などに固定するには、金属製の筐体の一部をネジ加工することや、面状光源装置を構成する樹脂フレームにネジ受け部材を設けるなどによって外部製品とネジ止めして固定している。
【０００３】
液晶表示装置と外部製品とを固定する方法としては、樹脂フレームに設けられたネジ受け部材を使用することによって液晶表示装置を固定させている（例えば、特許文献１参照）。この方法では、樹脂フレームに設けられたネジ受け部材が樹脂フレームに対して移動できるようになっているため、液晶表示装置と外部製品とをネジ止めして固定するときに樹脂フレームの変形が少なくなり、樹脂フレームの変形に伴う液晶表示装置の表示不良を防止することができる。また、他の方法としては、ネジ止めをする際に金属フレームに力がかかることによって変形することを防ぐために、面状光源装置の樹脂フレームに突起を設けて金属フレームを支持固定している（例えば、特許文献２参照）。この方法では、樹脂フレームに設けられた突起が、ネジ止めする際に金属フレームにかかった力を吸収するため、金属フレームの変形が少なくなるのでネジ止め時の不具合を防止することができる。
【０００４】
【特許文献１】特開２０００−３３０４８１号公報
【特許文献２】特開２００２−３６６０４５号公報
【発明の開示】
【発明が解決しようとする課題】
【０００５】
しかし、特許文献１では、液晶表示装置と外部製品とをネジ止めして固定する際に、外側からネジを挿入すると樹脂フレームがネジに押されてネジ挿入方向へ移動してしまうため、樹脂フレームの移動とともにネジ受け部材も移動してしまい、ネジ山にネジがかからずにネジ止めができなくなるという問題がある。また、特許文献２では、樹脂フレームに設けられた突起があるため、液晶表示装置を小型化、薄型化できないという問題がある。
【０００６】
本発明は、このような問題を解決するためになされたもので、外部機器との取り付けの不具合を防止して容易に組立てが可能である、小型、薄型の面状光源装置および面状光源装置を用いた表示装置を提供することを目的とする。
【課題を解決するための手段】
【０００７】
上記の課題を解決するために、本発明による面状光源装置は、ネジ受け部を有するフレームと、フレームをネジ受け部によってネジ止めする枠体とを備える面状光源装置であって、フレームまたは枠体のいずれか一方に少なくとも一つの突起を設け、他方に突起を挿入して固定するための少なくとも一つの孔を設けていることを特徴とする。
【発明の効果】
【０００８】
本発明は、請求項１に記載のように、ネジ受け部を有するフレームと、フレームをネジ受け部によってネジ止めする枠体とを備える面状光源装置であって、フレームまたは枠体のいずれか一方に少なくとも一つの突起を設け、他方に突起を挿入して固定するための少なくとも一つの孔を設けているため、外部機器との取り付けの不具合を防止して容易に組立てが可能である、小型、薄型の面状光源装置を提供することができる。
【発明を実施するための最良の形態】
【０００９】
本発明の実施形態について、図面に基づいて以下に説明する。
【００１０】
〈実施形態１〉
図１は、本発明の実施形態１による面状光源装置の分解斜視図である。また、図２は、本発明の実施形態１による図１におけるＡ−Ａの断面図である。図１および図２に示すように、面状光源装置１００は、導光板７、光学シート８、冷陰極管（図示せず）を内包するように樹脂フレーム４を配置し、樹脂フレーム４を外側から囲うように枠体である金属枠５を配置することによって構成される。表示装置は、面状光源装置１００に液晶パネル等の表示パネルを搭載し、別の金属フレーム等で覆って固定することによって構成される。図２に示すように、樹脂フレーム４にはネジ受部６ａが設けられており、ネジ受部６ａにはネジ受部材６が挿入されている。樹脂フレーム４のネジ受部６ａが設けられている面と直交する面に凹部３が形成されている。また、金属枠５には凹部３と対向する位置に突起１が設けられている。金属枠５の突起１の先端が樹脂フレーム４の凹部３に挿入可能な位置に設けられているため樹脂フレーム４の移動が抑制され、外側からネジをネジ受け部材６に挿入して樹脂フレーム４と金属枠５をネジ止めするときに樹脂フレーム４が移動することはない。また、樹脂フレーム４に孔または凹部３を設け、凹部３側に突出するように金属枠５に突起１を設けたため、面状光源装置１００の厚さを増加させることなく薄型化が可能となる。なお、凹部３は金属枠５に設けられた突起１が挿入可能な構造であればよく、いかなる形状であってもよい。また、本発明の実施形態では、樹脂フレーム４に凹部３、金属枠５に突起１を設けたが、樹脂フレーム４に突起、金属枠５に凹部を設けてもよく、突起および凹部はそれぞれ１つ以上設けてもよい。
【００１１】
樹脂フレーム４は、ポリカーボネート（Ｐｏｌｙｃａｒｂｏｎａｔｅ：ＰＣ）やアクリロニトリル・ブタジエン・スチレン（Ａｃｒｙｌｏｎｉｔｒｉｌｅ  ｂｕｔａｄｉｅｎｃｅ  ｓｔｙｒｅｎｅ：ＡＢＳ）などの合成樹脂で形成されている。樹脂フレーム４には、光源から射出される光の損失を少なくするために、高反射率材料を用いたり、白色の塗料などを塗布することが好ましい。また、ガラス繊維を含有するポリカーボネートを用いることによって、低温環境下において樹脂が収縮することによる形状の変化量が少なくなるため好ましい。
【００１２】
導光板７は、アクリル樹脂の他に、ポリカーボネートやシクロオレフィン系樹脂で形成することが可能である。これらを使用することによって、温度変化による寸法の変化量が少なくなり、より広い温度範囲で使用することが可能となる。
【００１３】
光学シート８には、拡散シート、プリズムシート、反射シート、偏光反射シートなどが用いられ、所望の特性によって、これらをそのまま使用するか、１つ以上の組み合わせからなる構成を使用することが可能である。また、光学シート８を使用しなくてもよい。
【００１４】
本発明の実施形態では、面状光源装置１００を照明するために冷陰極管を用いたが、発光ダイオード（Ｌｉｇｈｔ  Ｅｍｉｔｔｉｎｇ  Ｄｉｏｄｅ：ＬＥＤ）などの点光源を使用してもよい。
【００１５】
以上のように、ネジ受け部材６が設けられている面と直交する面に凹部３を形成し、凹部３に挿入されるように金属枠５に突起１を形成したので、外側からネジを挿入する際に、樹脂フレーム４に設けられたネジ受け部材６の位置ずれを抑制できる。したがって、外部機器との取り付けの不具合を防止して容易に組み立てが可能である、小型、薄型の面状光源装置および面状光源装置を用いた表示装置を得ることができる。
【００１６】
〈実施形態２〉
図３は、本発明の実施形態２による図１におけるＡ−Ａの断面図である。図３に示すように、本発明の実施形態２の特徴は、金属枠５の一部を絞り曲げ加工することによって突起１０を形成していることである。金属枠５に形成された突起１０は、樹脂フレーム４に設けられた凹部３に挿入可能な位置に設けられている。その他の構成は実施形態１と同様であるため、ここでは説明を省略する。
【００１７】
突起１０は、金属枠５を絞り曲げ加工することによって形成されているため、外側からネジをネジ受け部材６に挿入したときに突起１０が変形しないため、樹脂フレーム４と金属枠５との位置ずれが生じなくなる。また、金属枠５の切断面が樹脂フレーム４側に露出しないため、樹脂フレーム４と金属枠５とが接触した場合であっても、樹脂フレーム４が金属枠５によって削られることによる異物の発生はない。
【００１８】
以上のように、金属枠５の一部を絞り曲げ加工することによって突起１０を形成したので、外側からネジをネジ受け部材６に挿入したときに樹脂フレーム４と金属枠５との位置ずれが生じなくなる。また、樹脂フレーム４と金属枠５とが接触した場合であっても、異物を発生させないので表示品位が良くなる。したがって、外部機器との取り付けの不具合を防止して容易に組み立てが可能である、小型、薄型の面状光源装置および面状光源装置を用いた表示装置を得ることができる。
【図面の簡単な説明】
【００１９】
【図１】本発明の実施形態１による面状光源装置の分解斜視図である。
【図２】本発明の実施形態１による図１におけるＡ−Ａの断面図である。
【図３】本発明の実施形態２による図１におけるＡ−Ａの断面図である。
【符号の説明】
【００２０】
１  突起、３  凹部、４  樹脂フレーム、５  金属枠、６  ネジ受け部材、６ａ  ネジ受け部、７  導光板、８  光学シート、１０  突起、１００  面状光源装置。
【図１】
2008262840.tif 000003
【図２】
2008262840.tif 000004
【図３】
2008262840.tif 000005